(57)【要約】【課題】  静電気、電磁波エネルギーによって生じる静電破壊、誤動作を防止できる携帯端末及びそれに用いる携帯端末用カバーを提供する。【解決手段】  筺体１、２の表面に表示部１３、操作部２２が配設され、筐体１、２の少なくとも裏面が携帯端末用カバーＢによって覆われる携帯端末１００において、筐体１、２の裏面と携帯端末用カバーＢとの間に、少なくとも筐体１、２の裏面を覆う導電性シート部材を設け、この導電性シート部材を、筺体１、２の接地部に電気的に接続した。【選択図】図１
2006019909.tif 000002
【特許請求の範囲】
【請求項１】
筺体の表面に表示部、操作部が配設され、前記筐体の少なくとも裏面が携帯端末用カバーによって覆われる携帯端末であって、
前記筐体の裏面と前記携帯端末用カバーとの間に、少なくとも前記筐体の裏面を覆う導電性シート部材が設けられ、
該導電性シート部材が前記筺体の接地部に電気的に接続されたことを特徴とする携帯端末。
【請求項２】
表面に表示部、操作部が配設された筐体の少なくとも裏面を覆う携帯端末用カバーであって、
基材が帯電防止材を素材に用いた布地からなり、
該基材が前記筺体の接地部に電気的に接続されたことを特徴とする携帯端末用カバー。
【発明の詳細な説明】
【技術分野】
【０００１】
本発明は、携帯端末及びそれに用いる携帯端末用カバーに関する。
【背景技術】
【０００２】
近年、携帯電話機が多数開発され使用されているが、この携帯電話機には、単純な棒状を呈するストレート型のほかに、ヒンジ部を介して開閉可能な折畳型も各種開発されている。
折畳型携帯電話機は、表示部を有する上筐体と、操作部を有する下筐体と、表示部と操作部とが対面するように上下の筐体を開閉可能に連結するヒンジ部とを具備しており、ヒンジ部の軸心を中心に上下の筐体が相対的に回動して折畳まれる構造となっている。
他方、表示部を有する上筐体と操作部を有する下筐体とを連結する連結部が、上下の筐体の厚さよりも薄い折曲可能な帯状に形成された携帯電話機（以下、これを「折曲型携帯電話機」とよぶ）も提案されている（例えば、特許文献１参照）。この折曲型携帯電話機は、折畳型携帯電話機がヒンジ部を介して開閉可能とされるのに対し、帯状連結部の可撓性を利用して折り曲げ可能とされる点で折畳型携帯電話機と異なる。
【０００３】
【特許文献１】意匠登録第１１６１５７２号公報
【発明の開示】
【発明が解決しようとする課題】
【０００４】
ストレート型携帯電話機、折畳型携帯電話機、或いは折曲型携帯電話機は、いずれの場合も特定の場所で使用されるものではなく、屋内、電車・車などの移動体中、屋外などあらゆる場所での使用が想定されるため、帯電した人体などからの静電気や、屋外に設置されている電気設備からの電磁波エネルギーによって、特に異常電圧に弱いカメラ、液晶などの搭載部品に誤動作や静電破壊の生じる虞がある。また、近年、デザイン性を高める目的や、使用者の好みによって、携帯電話機には、筺体に携帯端末用カバー（以下、これを「ファッションカバー」ともよぶ）が着脱自在となったものもある。この種のファッションカバーでは、ファッションカバーに帯電した静電気が搭載部品に誤動作や静電破壊を生じさせる虞があるため、帯電しやすい布を用いることができず、携帯端末用カバーにおけるデザイン性の自由度が低いものとなっていた。
本発明は上記状況に鑑みてなされたもので、その第一の目的は、静電気、電磁波エネルギーによって生じる静電破壊、誤動作を防止できる携帯端末及びそれに用いる携帯端末用カバーを提供することにある。また、その第二の目的は、静電破壊、誤動作を防止することにより、携帯端末用カバーにおけるデザイン性の自由度向上を図ることにある。
【課題を解決するための手段】
【０００５】
上記目的を達成するための本発明に係る携帯端末は、筺体の表面に表示部、操作部が配設され、前記筐体の少なくとも裏面が携帯端末用カバーによって覆われる携帯端末であって、前記筐体の裏面と前記携帯端末用カバーとの間に、少なくとも前記筐体の裏面を覆う導電性シート部材が設けられ、該導電性シート部材が前記筺体の接地部に電気的に接続されたことを特徴とする。
【０００６】
この携帯端末では、筺体の裏面と携帯端末用カバーとの間に導電性シート部材が設けられ、筺体の裏面全体が同電位の面材によって覆われることになる。これにより、携帯端末を把持する帯電した人体や、帯電した携帯端末用カバーから異常電圧に弱いカメラ、液晶などの搭載部品に局所的に作用する静電気などの電撃が防止される。つまり、電撃による影響が導電性シート部材の全面に拡散される。また、搭載部品が導電性シート部材によって覆われることで、電磁波のシールド性が高まり、搭載部品へ電磁波エネルギーの悪影響が生じ難くなる。さらに、このような作用によって、仮に帯電しやすい布材が携帯端末用カバーの素材に用いられた場合であっても、静電破壊が生じ難くなる。
【０００７】
本発明に係る携帯端末用カバーは、表面に表示部、操作部が配設された筐体の少なくとも裏面を覆う携帯端末用カバーであって、基材が帯電防止材を素材に用いた布地からなり、該基材が前記筺体の接地部に電気的に接続されたことを特徴とする。
【０００８】
この携帯端末用カバーでは、基材の素材に帯電防止材が用いられることで、この携帯端末用カバーが筺体に被着されると、筺体の裏面全体が同電位の面材によって覆われることになる。これにより、携帯端末を把持する帯電した人体や、帯電した携帯端末用カバーから異常電圧に弱いカメラ、液晶などの搭載部品に局所的に作用する静電気などの電撃が防止される。つまり、電撃による影響が導電性シート部材の全面に拡散される。また、搭載部品が導電性シート部材によって覆われることで、電磁波のシールド性が高まり、搭載部品へ電磁波エネルギーの悪影響が生じ難くなる。さらに、携帯端末用カバー自体によって帯電防止作用が発揮され、導電性シート部材などの他部材を用いる必要がなくなる。
【発明の効果】
【０００９】
本発明に係る携帯端末によれば、筐体の裏面と携帯端末用カバーとの間に、少なくとも筐体の裏面を覆う導電性シート部材を設け、この導電性シート部材を筺体の接地部に電気的に接続したので、筺体の裏面全体が同電位の部材で覆われることになり、静電気などの電撃が、異常電圧に弱いカメラ、液晶などの搭載部品に局所的に作用するのを防止できる。すなわち、電撃による影響を拡散させて、耐静電気性を高めることができる。この結果、特に帯電しやすい布を用いた携帯端末用カバーを被着した場合であっても、外部からの静電気印加によるカメラ、液晶などの搭載部品の誤動作、破壊を防止することができる。これに加えて、帯電しやすい布を用いても静電破壊が生じなくなるので、携帯端末用カバーにおけるデザイン性の自由度を向上させる効果も奏する。
【００１０】
本発明に係る携帯端末用カバーによれば、基材が、帯電防止材を素材に用いた布地からなり、この基材を筺体の接地部に電気的に接続したので、筺体の裏面全体が同電位となった基材で覆われることになり、静電気などの電撃が、異常電圧に弱いカメラ、液晶などの搭載部品に局所的に作用するのを防止できる。すなわち、電撃による影響を拡散させて、耐静電気性を高めることができる。この結果、外部からの静電気印加によるカメラ、液晶などの搭載部品の誤動作、破壊を防止することができる。また、携帯端末用カバー自体が帯電防止作用を有するので、他部材を用いずに、少ない部品数、簡単な構造で耐静電気性を高めることができる。
【発明を実施するための最良の形態】
【００１１】
以下、本発明に係る携帯端末及びそれに用いる携帯端末用カバーの好適な実施の形態を図面を参照して説明する。
図１は本発明に係る携帯端末の外観を示す斜視図、図２は図１の分解斜視図、図３は図１の本体部を裏面から見た斜視図、図４は（ａ）に本発明に係る携帯端末の開いた状態の本体部及びこれに設けた連結装置を示し、（ｂ）にその本体部が閉じた状態を示す説明図、図５は本発明に係る携帯端末を開いたときの中央断面図である。
本実施の形態に係る携帯端末（折曲型携帯電話機）１００は、大略構成として、本体部Ａと、本体部Ａの外面に設けられるファッションカバーＢとから構成される。
【００１２】
本体部Ａは、図１に示すように、上筐体１及び下筐体２からなる筐体と、これら上下の筐体１、２を固設しこれら上下の筐体１、２の間で折り曲り可能な連結装置３とを備えている。
【００１３】
このうち、上筐体１は、第１の音声出力部である受話部（レシーバ）１１と、第２の音声出力部であるスピーカ１２（図５参照）と、表示部１３と、永久磁石１４と、第１プリント基板１５（図５参照）などを収容している。なお、第１プリント基板１５には、表示部１３を構成するＬＣＤ等が設けられている。
【００１４】
一方、下筐体２には、送話部（マイクロフォン）２１と、操作部２２と、バイブレータ部２３（図５参照）と、カメラ部２４（図５参照）と、ホール素子２５と、着脱可能な電池２６（図５参照）と、第２プリント基板２７（図５参照）などを収容している。なお、第２プリント基板２７は、送受信部、データ変換部、音声処理部、画像処理部、情報記録部及び制御部などを実装している。
【００１５】
連結装置３は、折曲可能な連結部を挟んで上下の筐体１、２を固設するものであり、主に、シート状部材と屈曲性部材とで構成されており、アンテナ３４（図４参照）と、可撓性配線部材（例えば、フレキシブル基板など）３５とを収容している。
【００１６】
連結装置３は、上筐体１の下側端面側と下筐体２の上側端面側とを連結するものであり、この連結装置３の屈曲動作により連結部３Ａで、図１の矢印Ｐ方向及びその反対方向に折曲可能となる。つまり、不使用時には、図４（ｂ）に示すように、本体部Ａが閉じた状態、すなわち、上筐体１が下筐体２と対面（対向）する状態に折り曲げられる。他方、使用時には、図４（ａ）に示すように、使用者の顔が上筐体１と下筐体２に対面するように本体部Ａが開かれる。
【００１７】
受話部であるレシーバ１１は、本体部Ａを閉じた時に下筐体２と対面する上筐体１の主面１Ａに設けられ、この主面１Ａから音声が出力するように配設されている。本実施の形態に係る折曲型携帯電話機１００を通常使用するときには、通信相手の音声を出力するものである。一方、図５に示したスピーカ１２は、上筐体１の主面１Ａとは反対側の裏面１Ｂに設けており、メールや電話の待ち状態のようなときには、この裏面１Ｂから着信音を出力するように配設されている。
【００１８】
送話部のマイクロフォン２１と操作部２２は、本体部Ａが閉じた状態のときに上筐体１の主面１Ａと対向する下筐体２の主面２Ａに設けられている。バイブレータ部２３は、着信時に起振することにより着信を振動で報知するものである。
【００１９】
カメラ部２４は、下筐体２の主面２Ａとは反対側の裏面２Ｂに、下筐体２に対して着脱可能な電池２６と併設して設けられており、操作部２２の後方の被写体が撮像可能になっている。カメラ部２４が捉えた被写体からの入射光は、レンズ群を通過してＣＣＤ（電荷結合素子）などの光電変換素子にて光信号から電気信号に変換され、画像情報が生成される。この画像情報は、画像処理部にて処理された後、表示部１３に画像を生成する。
【００２０】
ホール素子２５は、筐体用永久磁石１４の磁界を検出する手段とされ、本体部Ａが閉じた状態のときには筐体用永久磁石１４と対向するように、第２プリント基板２７上に設けられている。このホール素子２５は、本体部Ａが閉じられた閉状態では、筐体用永久磁石１４が近接状態にあるため、筐体用永久磁石１４の磁界を検出して制御部に検出信号を出力する。また、このホール素子２５は、本体部Ａが開状態であれば筐体用永久磁石１４が離間するので、この筐体用永久磁石１４の磁界を検出できないため、ホール素子２５は検出信号を生成しない。
【００２１】
すなわち、ホール素子２５が筐体用永久磁石１４を検出すると本体部Ａは閉じた状態であり、検出できなければ開いた状態である。本実施の形態に係る折曲型携帯電話機１００では、筐体が閉じた状態のとき、受信待受け状態であれば表示部１３には何も表示されず、電力が消費されない。また、表示部１３を照明する照明手段（図示せず）も発光しない。開いた状態であれば、受信電界強度を示すマーク、電池残容量情報、時刻情報や着信情報等が表示されるとともに、照明手段による照明が行われる。
【００２２】
連結装置３は、本体部Ａが閉じられるときには屈曲し、本体部Ａが開かれるときには屈曲状態が解除されるものであり、可撓性を有し、中央部の連結部３Ａを隔てて上下２つの筐体１、２を固設するシート状部材と、折り曲げるとフラットな状態（折り曲げる前の状態）に戻る復元力と剛性を有し、上下２つの筐体１、２を固設する屈曲性部材とを備えている。連結装置３は、図５に示すように、第１連結部材３１と、第２連結部材３２と、第３連結部材３３とから構成されている。このうち、第１連結部材３１と第３連結部材３３がシート状部材を構成するとともに、第２連結部材３２が屈曲性部材を構成している。
【００２３】
第１連結部材３１は、上筐体１の主面１Ａ及び下筐体２の主面１Ｂと同じ向きの面を構成するのと同時に、上筐体１の外表面と下筐体２の外表面を一体的に形成する（上下筐体１、２の外表面を兼用する）。第２連結部材３２は、上筐体１から下筐体２に跨って設けられ、可撓性と剛性を有する薄板状の鋼材（炭素工具鋼鋼材やステンレス鋼等）で形成してある。第３連結部材３３は、下筐体２の裏面２Ｂを一体に連結するとともに、第２連結部材３２や可撓性配線部材３５を覆い隠すようにして第１連結部材３１に取付けられる。
【００２４】
なお、第１連結部材３１と第３連結部材３３とは、熱可塑性ポリエステル・エーテル・エラストマやポリウレタン樹脂など可撓性を有する適宜の材料で形成してある。また、この第１連結部材３１と第３連結部材３３を形成する材料は、上述した材料に限るものではなく、可撓性や弾性を有する材料でシート状に形成すればよい。
【００２５】
第１連結部材３１で構成する上下の筐体１、２の主面１Ａ、２Ａの内面側は、主面１Ａ、２Ａの形成材料とは異なるＡＢＳ樹脂などの別の材料を用いて内面部１Ｃ、２Ｃを形成してある。すなわち、異種材料で一体的に形成される異材質成形法（例えば、インサート成形など）によって、上筐体１及び下筐体２を一体的に構成する。本実施の形態では、熱可塑性ポリエステル・エーテル・エラストマで成形される上筐体１及び下筐体２の外表面（実際には、第１連結部材３１で構成している）１Ａ、２Ａと、ＡＢＳ樹脂で成形される窓枠部１３Ａとを一体的に形成している。
【００２６】
第２連結部材３２は、図４に示すように、上筐体１から下筐体２に向かって直線状に延設されており、その断面形状は、薄板が幅Ｗ１、曲率Ｒ２の円弧状に形成されている。なお、曲率Ｒ２の中心は、上筐体１の主面１Ａ側（または下筐体２の主面２Ａ側）にあり、この中心を点Ｏで示す。
【００２７】
図４（Ａ）に示すように、本体部Ａの連結装置３が開いた状態では、第２連結部材３２は曲率Ｒ２の断面円弧状が片端から他端まで維持されながら上筐体１から下筐体２に向かって直線状に延在しており、安定した状態が保持されている。ここで、この本体部Ａの連結装置３が開いた状態（図１の状態）から、さらに開放（拡開）させるために矢印Ｐとは反対方向へ曲げようとしても、湾曲状態が形成されているときには、この湾曲状態を解除させようとする（本体部Ａをフラットな開放状態からさらに開放する）方向への剛性が高められており、開放状態を保持しようとする力（以下、これを「湾曲保持力」とよぶ）が発生している。従って、本体部Ａを開放上体からさらに開放させる方向、つまり凹状の湾曲面（負曲面）方向とは反対の凸状の背曲面（正曲面）方向への開放に要する力（逆曲力）は、Ｐ方向へ本体部を閉じるのに要する力（折曲力）に比べて格段と大きいので、曲がりづらい。この曲がりづらさは、第２連結部材３２の固定方法や断面２次モーメント、ヤング率等から決定される。
【００２８】
一方、逆に、所定以上の力で矢印Ｐ方向（図５参照）へ曲げると、第２連結部材３２の中央部は、飛び移り現象によって本体部Ａの連結装置３が閉じる方向へ曲がるが、塑性変形はせず、加えた力を排除すると復元力で元のフラットな開放状態に復帰して、本体部Ａの連結装置３は開かれた状態に戻る。すなわち、第２連結部材３２は、本体部Ａが開かれた状態から矢印Ｐ方向への容易な曲げ動作がおこなわれるのを防止する手段としても機能する。
【００２９】
したがって、本体部Ａを開いているときには、第１、第２、第３連結部材３１〜３３がストレート（真直）な開放状態となり、第２連結部材３２の剛性によってこの状態が維持される。下筐体２を手に持ったときには上筐体１が開放状態を保持して静止しており、矢印Ｐ方向には曲がらず、またその反対方向へは垂れ下がらない。しかも、本体部Ａを閉じるときには容易に閉じることができる。
【００３０】
次に、ファッションカバーＢについて説明する。
ファッションカバーＢは、基材であるベース部材４Ａ（図５参照）と、ベース部材４Ａの外表面を覆い、綿や麻などの天然繊維、アクリルやナイロン、ウレタンなどからなる合成繊維や革部材など、ファッション性に富んだ材料（外皮）からなる外観部４Ｂと、同様な材料をベース部材４Ａの外周面に、外観部４Ｂと連設した縁巻き部４Ｃとで構成されている。
【００３１】
ベース部材４Ａは、熱可塑性ポリエステル・エーテル・エラストマやポリウレタン樹脂など可撓性を有する適宜の材料で形成されている。ベース部材４Ａの内面には、上筐体１の裏面１Ｂを形成する上筐体裏面部（裏面）４Ｄと、電池２６を覆う電池カバー部４Ｅとが、ＡＢＳ樹脂で一体的に形成されている。すなわち、ベース部材４Ａも異材質成形を用いている。また、ベース部材４Ａの裏面が上下の筐体１、２に装着されたときに該筐体１、２の外形より外側に突出する屈曲可能な突出部を形成するために、中央には湾曲部４Ｆが設けられている。
【００３２】
上筐体裏面部４Ｄには下穴３３２Ｂが設けられ、上筐体１に対してタッピンねじ２９によって螺着される。このタッピンねじ２９は、第１プリント基板１５の接地部（ＧＮＤ）に電気的に接続される。また、下筐体２の裏面における電池収容部の底板部（裏面）２８にはＭｇシャーシなどの導電体（導通部）３６が表出されている。この導通部３６は、第２プリント基板２７の接地部（ＧＮＤ）に電気的に接続される。
【００３３】
ファッションカバーＢは、ベース部材４Ａの例えば電池カバー部４Ｅに形成された係合部としての係合爪４Ｇが下筐体２に形成された引掛け爪２Ｄに対して着脱可能に装着される。本体部Ａに対してベース部材４Ａの内面側が取付けられると、連結部３Ａに対して湾曲部４Ｆが離間するようになっている。
【００３４】
ベース部材４Ａの外表面に設けられる外観部４Ｂ（外皮）は、ベース部材４Ａに対して外皮４Ｂが移動するのを防止するために、予めベース部材４Ａに対して外皮４Ｂを接着固定して位置決めが行われる。次にベルト部材６を糸でベース部材４Ａとともに外皮４Ｂに縫製し、次に縁巻き部４Ｃを糸５Ｂでベース部材４Ａとともに外皮４Ｂに縫製する。縁巻き部４Ｃを縫製するときには、ミシンによる素材押さえ、素材送りのため、ベース部材４Ａの端面から所定の距離だけ平坦部が確保されている。
【００３５】
外観部４Ｂには、スピーカ１２から出力された音声を通過させる第１開口孔４Ｈや、カメラ部２４の前方を開口した第２開口孔４Ｊが設けられている。外皮４Ｂは、前述したように、ベース部材４Ａに貼り付けられた後に縫製される。縫製前に貼り付けることで、縫製位置を安定させ、また、把持したときにベース部材４Ａに対して外観部の移動（ズレ）を防止するので、把持時のズレによってカメラ部２４を覆ってしまうことで撮影ができなることを防止したり、持つ手に違和感を感じさせずに済む。
【００３６】
また、このファッションカバーＢの外観部４Ｂの一端側（電池カバーの裏面側近傍）には、一端が縫製され他端には中央に凸部６Ａが形成された磁性体の金具６Ｂが設けられたベルト部材６が取付けられている。また、外観部４Ｂの他端側（レシーバの裏面近傍側）には、内部に第２永久磁石４Ｋ（図５参照）を有し中央に凹部４Ｌが形成された係合部４Ｍが設けられている。
【００３７】
これにより、本体部Ａを閉じた時、ベルト部材６を折り曲げて外観部４Ｂの他端部寄りに設けた係合部４Ｍに金具６Ｂを吸着させて係合させることができる。このとき、縁巻き部４Ｃが本体部Ａに近接する方向へ倒れ、ベルト部材６が折り曲げられながらも張架して、金具６Ｂと係合部４Ｍが係合し、本体部Ａが略密着するように閉じられる。
【００３８】
このようにして、本体部Ａを閉じたときには、第２連結部材３２の戻り力Ｆ２により本体部Ａが開こうとするが、金具６Ｂが係合部４Ｍに係合することで、本体部Ａに戻り力Ｆ２が作用していても本体部Ａが開かれることを防止することができる。
【００３９】
なお、金具６Ｂと係合部４Ｍの係合を解除する時は、ベルト部材６の先端を引き上げるようにするとよい。すなわち、凹部４Ｌに嵌った凸部６Ａを抜くような力を加えると、簡単に係合が解除される。係合した状態で本体部Ａに戻り力Ｆ２が作用しているときには、凸部６Ａは凹部４Ｌの半径方向に寄せられるだけなので、容易には抜けない。この第２連結部材３２の戻り力Ｆ２は、本体部Ａを閉じた状態で上筐体１又は下筐体２自身の自重よりも小さく設定することで、ベルト部材６を用いなくても、折り曲げ状態を保持できるように構成してもよい。
【００４０】
また、ベルト部材６の金具６Ｂに凹部４Ｌを設け、外観部４Ｂの他端側に凸部６Ａを設けて、両者を磁力により吸着係合させるようにしてもよい。
【００４１】
図６は筺体の裏面とファッションカバーとの積層構造を表す斜視図である。
本実施の形態に係る折曲型携帯電話機１００には、外部からの静電気印加によるカメラ部２４、表示部１３などの搭載部品の誤動作、破壊を防止する手段が設けられている。折曲型携帯電話機１００は、表示部１３（液晶部）を備える上筐体１と、キー操作部２２を備える下筐体２をバネ製板金とエラストマからなる連結装置３で接続し、外装部にはエラストマと縫合した布・革からなるファッションカバーＢを備える。すなわち、上筐体１、下筐体２の少なくとも裏面がファッションカバーＢによって覆われる。図６中、３０はエラストマ又はＡＢＳ樹脂からなる絶縁部分を表す。
【００４２】
このような被着・積層構造において、筐体１、２の裏面とファッションカバーＢとの間に、少なくとも筐体１、２の裏面を覆う導電性シート部材４１が設けられている。この導電性シート部材４１としては、導電性のある熱拡散シート（グラファイト）を好適に用いることができる。また、導電性シート部材４１は、導体を蒸着させた布であってもよい。
【００４３】
導電性シート部材４１は、外観部４Ｂの布と筺体１、２のＡＢＳ樹脂との間に挟み込むことができる。より具体的に、導電性シート部材４１は、第１プリント基板１５の裏面、下筐体２の底板部２８に貼着することができる。第１プリント基板１５の裏面に貼着された導電性シート部材４１は、下穴３３２Ｂの開口３７を通るタッピングねじ（接地部）２９に電気的に接続される。底板部２８に貼着された導電性シート部材４１は、導通部（接地部）３６に電気的に接続される。
【００４４】
また、導電性シート部材４１は、上筐体裏面部４Ｄとベース部材４Ａとの間、電池カバー部４Ｅとベース部材４Ａとの間に挟み込まれてもよい。この場合、電池カバー部４Ｅとベース部材４Ａとの間に挟み込まれる導電性シート部材４１は、電池カバー部４Ｅから延出されて、下筐体２の裏面、すなわち、カメラ部２４の第２開口孔４Ｊを除いた裏面２Ｂ（図３参照）も覆うように設けられる。この他、導電性シート部材４１は、本体部Ａに対面するベース部材４Ａの全面に貼着されるものであってもよい。そして、このように設けられた導電性シート部材４１は、いずれの場合も、筺体１、２のＧＮＤ部と接続されるタッピングねじ２９や導通部３６と導通がとられるようになっている。
【００４５】
このように、本実施の形態による折曲型携帯電話機１００では、筺体１、２の裏面とファッションカバーＢとの間に導電性シート部材４１が設けられ、筺体１、２の裏面全体が同電位の面材によって覆われることにより、折曲型携帯電話機１００を把持する帯電した人体や、帯電したファッションカバーＢから異常電圧に弱いカメラ部２４、表示部（液晶）１３などの搭載部品に局所的に作用する静電気などの電撃が防止される。つまり、電撃による影響が導電性シート部材４１の全面に拡散される。また、搭載部品が導電性シート部材４１によって覆われることで、電磁波のシールド性が高まり、搭載部品へ電磁波エネルギーの悪影響が生じ難くなる。さらに、このような作用によって、仮に帯電しやすい布材がファッションカバーＢの素材に用いられた場合であっても、静電破壊が生じ難くなる。
【００４６】
次に、本実施形態の折曲型携帯電話機１００の動作について詳細に説明する。
上述のように構成された本実施形態の折曲型携帯電話機１００にあっては、普段使用しないときには、ベルト部材６で閉止することで上筐体１と下筐体２とが閉じて連結部３Ａで折れ曲がった状態を保持するが、使用するために、ベルト部材６の金具６Ｂと係合部４Ｍとの係合状態を解除すると、第２連結部材３２の戻り力Ｆ２により本体部Ａが開かれて略フラットな状態に戻って静止し、この開放状態が第２連結部材３２の湾曲保持力（作用）によって安定的に保持される。
【００４７】
一方、非使用時（受信待受け状態）には、本体部Ａに閉鎖力Ｆ１以上の閉じる力を与えて上筐体１の主面１Ａと下筐体２の主面２Ａを対面させ、ベルト部材６の金具６Ｂを係合部４Ｍに係合させて、本体部Ａを閉じた状態にすることができる。この本体部Ａが閉じられた状態では、ファッションカバーＢの湾曲部４Ｆが第３連結部材３３に近接しながら小さく折り曲げられ、しかも、縁巻き部４Ｃが上、下筐体１、２へ近づく方向に倒れているので、上下筐体１、２の主面１Ａ、２Ａに対して垂直方向に関する投影面積が最小となり、携帯性に好適となる。
【００４８】
また、この本体部Ａが閉じた状態では、第３連結部材３３の最肉薄部（凹部）３３Ｂが拡開し（図５参照）、連結部３Ａに対応する第２連結部材３２の中央部が平坦化する。このとき、第３連結部材３３の最肉薄部３３Ｂには、この部分の拡開状態を解消しようとする力が作用し、第２連結部材３２の中央部には平坦状から湾曲状に戻ろうとする力が作用し続けているが、前述したように、ファッションカバーＢの第１連結部材３１のベルト部材６に設けた金具６Ｂを係合部４Ｍに係合させることで、閉じられた状態が維持される。
【００４９】
ここで、図３及び図５を用いて、ファッションカバーＢを本体部Ａに装着するときの動作について説明する。
同図に示すように、まず、初めに、ファッションカバーＢの上筐体裏面部４Ｄに本体部Ａの上筐体１を組付ける。次に、ファッションカバーＢの湾曲部４Ｆが略平坦になるように矢印Ｔ方向へ引く。矢印Ｔ方向へ引張った状態を２点鎖線で示す。ファッションカバーＢの電池カバー部４Ｅに形成された係合爪４Ｇを本体部Ａに形成された引掛け爪２Ｄに引掛けながら、ファッションカバーＢを矢印Ｔ方向とは反対方向へ移動させると、係合爪４Ｇと引掛け爪２Ｄが係合して、本体部Ａに対してファッションカバーＢの装着が完了する。
【００５０】
他の方法として、ファッションカバーＢの上筐体裏面部４Ｄに本体部Ａの上筐体１を組付けた後、本体部Ａを矢印Ｐ方向へさらに拡開させることで、ファッションカバーＢが矢印Ｔ方向へ移動させるだけの余長が生じる。後は、前述したように、係合爪４Ｇを本体部Ａに形成された引掛け爪２Ｄに引掛けながらファッションカバーＢを矢印Ｔ方向とは反対方向へ移動させると、係合爪４Ｇと引掛け爪２Ｄが係合して、本体部Ａに対してファッションカバーＢの装着が完了する。
【００５１】
このように、ファッションカバーＢに湾曲部４Ｆを設けたり、連結装置３を拡開させることにより、本体部Ａに対してファッションカバーＢを簡単に着脱可能にする。しかも、その操作方法は極めて簡単である。
【００５２】
また、本実施形態によれば、第１連結部材３１は、上筐体１と下筐体２を連続的に繋げた構成としたので、上下の筐体１、２に一体感を備えさせることができる。また、ファッションカバーＢを上筐体１に対して着脱できる構成（電池カバー部と同様な構成）にすれば、使用者は好みに応じてファッションカバーＢを自由に交換することも可能なので、使用者の好みに応じた個性的な折曲型携帯電話機１００を提供できる。また、勿論、ファッションカバーＢが汚れた際には交換して洗濯などもできるので、常に新鮮さ清潔さを維持できる。
【００５３】
したがって、本実施の形態による折曲型携帯電話機１００によれば、筺体１、２の裏面とファッションカバーＢとの間に、少なくとも筐体１、２の裏面を覆う導電性シート部材４１を設け、この導電性シート部材４１を筺体１、２の接地部（導通部３６、タッピングねじ２９）に電気的に接続したので、筺体１、２の裏面全体が同電位の部材で覆われることになり、静電気などの電撃が、異常電圧に弱いカメラ部２４、表示部１３などの搭載部品に局所的に作用するのを防止できる。すなわち、電撃による影響を拡散させて、耐静電気性を高めることができる。この結果、特に帯電しやすい布を用いたファッションカバーＢを被着した場合であっても、外部からの静電気印加によるカメラ部２４、表示部１３などの誤動作、破壊を防止することができる。これに加えて、帯電しやすい布を用いても静電破壊が生じなくなるので、ファッションカバーＢにおけるデザイン性の自由度を向上させる効果も奏する。
【００５４】
なお、上記の実施の形態では、導電性シート部材４１を挟み込み、或いはベース部材４Ａに貼着する構成を例に説明したが、本発明に係る折曲型携帯電話機は、ファッションカバーＢの基材であるベース部材４Ａ自体に、帯電防止材を素材に用いた布地を用いてもよい。このような変形例においても、帯電防止材を用いたベース部材は、筺体１、２の接地部（導通部３６、タッピングねじ２９）に電気的に接続される。
【００５５】
この変形例によれば、ベース部材４Ａが、帯電防止材を素材に用いた布地からなり、このベース部材４Ａを筺体１、２の接地部に電気的に接続するので、筺体１、２の裏面全体が同電位となったベース部材４Ａで覆われることになり、静電気などの電撃が、異常電圧に弱いカメラ部２４、表示部１３などの搭載部品に局所的に作用するのを防止できる。すなわち、電撃による影響を拡散させて、耐静電気性を高めることができる。この結果、外部からの静電気印加によるカメラ部２４、表示部１３などの誤動作、破壊を防止することができる。また、ファッションカバーＢ自体が帯電防止作用を有するので、他部材（例えば導電性シート部材４１）を用いずに、少ない部品数、簡単な構造で耐静電気性を高めることができる。
【００５６】
また、上記の実施の形態では、ファッションカバーＢに上筐体裏面部４Ｄや電池カバー部４Ｅが設けられ、これら上筐体裏面部４Ｄや電池カバー部４Ｅを介してファッションカバーＢが筺体１、２に取り付けられる構成を例に説明したが、ファッションカバーは、これらの上筐体裏面部４Ｄや電池カバー部４Ｅを有さず、ベース部材４Ａと外観部４Ｂとからのみで構成されてもよい。このような構成のファッションカバーＢ１の場合には、図７に示すように、筺体１、２の裏面から同面を鍔状に延出させた係着部４３を周囲に設け、ファッションカバーＢ１の係着開口４５の周縁には弾性線材（ゴム等）４７を設けておく。そして、弾性線材４７の弾性力に抗して係着開口４５を拡げて係着部４３に被せることで、ファッションカバーＢ１を筺体１、２の裏面側に容易に被着させることが可能となる。このような構成のファッションカバーＢ１には、上記した変形例に係るファッションカバーＢ、すなわち、ベース部材４Ａが帯電防止材を用いた布地からなるファッションカバーＢと同様の構成のものを好適に用いることができる。
【図面の簡単な説明】
【００５７】
【図１】本発明に係る携帯端末の外観を示す斜視図である。
【図２】図１の分解斜視図である。
【図３】図１の本体部を裏面から見た斜視図である。
【図４】（ａ）に本発明に係る携帯端末の開いた状態の本体部及びこれに設けた連結装置を示し、（ｂ）にその本体部が閉じた状態を示す説明図である。
【図５】本発明に係る携帯端末を開いたときの中央断面図である。
【図６】筺体の裏面とファッションカバーとの積層構造を表す斜視図である。
【図７】ファッションカバーの変形例を表す断面図である。
【符号の説明】
【００５８】
１、２  筺体
２Ｂ  下筐体の裏面（裏面）
４Ａ  ベース部材（基材）
４Ｄ  上筐体裏面部（裏面）
１３  表示部
２２  操作部
２８  底板部（裏面）
２９  タッピンねじ（接地部）
３６  導通部（接地部）
４１  導電性シート部材
１００  折曲型携帯電話機（携帯端末）
Ｂ  ファッションカバー（携帯端末用カバー）
【図１】
2006019909.tif 000003
【図２】
2006019909.tif 000004
【図３】
2006019909.tif 000005
【図４】
2006019909.tif 000006
【図５】
2006019909.tif 000007
【図６】
2006019909.tif 000008
【図７】
2006019909.tif 000009